(57)【要約】【課題】整流板を槽外から上下に位置調整できて比較的小さな整流板で適正な整流効果が得られ、更に槽内水位に適応した有効なスカムの吸引除去が行われ、散水除去設備等を別途装備する必要がなく、また、整流板に夾雑物が絡み付いた場合には整流板のみを迅速且つ容易に槽内から引揚げることのできる、水処理槽内における竪型水中攪拌装置の提供。【解決手段】槽内の支持体または水処理槽１上より導下された縦杆４によってドラフトチューブ５を水処理槽１内に支承させ、モータ軸の下端に装着されたプロペラ９をドラフトチューブ５の上端開口部へ開口させ、その上方において整流板１２が縦杆４により昇降自在に支承されるよう構成した。【選択図】        図１
2004321955.tif 000002
【特許請求の範囲】
【請求項１】
槽内の支持体によって竪型のドラフトチューブを水処理槽内に支承させ、モータによって駆動される攪拌用のプロペラをドラフトチューブの上端開口部へ対向させ、水処理槽上のフロアーに開設された導下口より導下された縦杆により、攪拌用プロペラの上方において整流板が昇降自在に支承されるよう構成したことを特徴とする、水処理槽内における竪型水中攪拌装置。
【請求項２】
水処理槽上のフロアーに開設された導下口より導下された縦杆によって竪型のドラフトチューブを水処理槽内に支承させ、モータによって駆動される攪拌用のプロペラをドラフトチューブの上端開口部へ対向させ、攪拌用プロペラの上方において整流板が縦杆により昇降自在に支承されるよう構成したことを特徴とする、水処理槽内における竪型水中攪拌装置。
【請求項３】
攪拌用のプロペラをドラフトチューブの上端開口部へ対向させる手段として、ドラフトチューブの上端開口部と導通する攪拌機収容筒がドラフトチューブの上端縁に接続されており、竪型水中モータのモータ軸下端にプロペラを装着した攪拌機を縦杆により攪拌機収容筒内へ装脱自在に嵌装された態様としたことを特徴とする、請求項１または２記載の水処理槽内における竪型水中攪拌装置。
【発明の詳細な説明】
【０００１】
【発明の技術分野】
本発明は、嫌気性の水処理槽内における竪型水中攪拌装置に関するものである。
【０００２】
【従来の技術】
水中攪拌装置において、処理槽の水面の表層に発生する吸込み渦を抑制するための整流板をモータフレームの外周に定着させたものは、従来から存在する（例えば、特許文献１参照）。また、攪拌装置およびドラフトチューブを槽内へ垂設するための支持柱に整流板を固定させたものも、従来から存在する（例えば、特許文献２参照）。
【０００３】
【特許文献１】
特開平１１−３４２４００号公報  （第１−３図）
【特許文献２】
特開２０００−２８８５６８号公報  （第２図）
【０００４】
【発明が解決しょうとする課題】
特許文献１および２に記載の装置では、整流板が一定位置に固定されていて上下に位置調整できない構造であるため、予め整流板を必要以上に大きくしなければならず、また、水面の表層に発生するスカムについては槽内水位に適応した有効な吸引除去が得られない。従って、別途装備された散水除去設備等によるシャワリングで除去しなければならないのが現状である。そして整流板に夾雑物が絡み付いた場合その夾雑物を除去するには、特許文献１の構造では攪拌機本体ごと槽内から引揚げなければならないという煩わしさがある。また、特許文献２のようにドラフトチューブの支持柱に整流板を取付けた構造ではドラフトチューブ中心付近での整流効果が乏しくなり、且つ、絡み付いた夾雑物を除去するためには、支持柱から整流板を取外して槽内から取出すことが必要となる。
【０００５】
本発明の目的は、整流板を槽外から上下に位置調整できて比較的小さな整流板で適正な整流効果が得られ、更に槽内水位に適応した有効なスカムの吸引除去が行われ、散水除去設備等を別途装備する必要がなく、また、整流板に夾雑物が絡み付いた場合には整流板のみを迅速且つ容易に槽内から引揚げることのできる、水処理槽内における竪型水中攪拌装置を提供することにある。
【０００６】
【問題を解決するための手段】
本発明の請求項１記載の水処理槽内における竪型水中攪拌装置では、槽内の支持体によって竪型のドラフトチューブを水処理槽内に支承させ、モータによって駆動される攪拌用のプロペラをドラフトチューブの上端開口部へ対向させ、水処理槽上のフロアーに開設された導下口より導下された縦杆により、攪拌用プロペラの上方において整流板が昇降自在に支承されるよう構成した。
【０００７】
また、本発明の請求項２記載の水処理槽内における竪型水中攪拌装置では、水処理槽上のフロアーに開設された導下口より導下された縦杆によって竪型のドラフトチューブを水処理槽内に支承させ、モータによって駆動される攪拌用のプロペラをドラフトチューブの上端開口部へ対向させ、攪拌用プロペラの上方において整流板が昇降自在に支承されるよう構成した。
【０００８】
更に本発明の請求項３記載の水処理槽内における竪型水中攪拌装置では、請求項１または２記載の発明を前提として攪拌用のプロペラをドラフトチューブの上端開口部へ対向させる手段として、ドラフトチューブの上端開口部と導通する攪拌機収容筒がドラフトチューブの上端縁に接続されており、竪型水中モータのモータ軸下端にプロペラを装着した攪拌機を縦杆により攪拌機収容筒内へ装脱自在に嵌装された態様とした。
【０００９】
【発明の実施の態様】
以下図１ないし図３の実施例により説明をする。
【００１０】
１は嫌気性の水処理槽、２は水処理槽１上を覆うフロアー、３はフロアー２に開設された導下口、４・・４は導下口３の周縁部より水処理槽１内へ導下された縦杆であり、例えば後記ドラフトチューブ５や攪拌機収容筒６を支承する支持系の外側縦杆４Ａ・・４Ａと、攪拌機７および昇降式整流板１２を昇降自在に支承するガイド系の内側縦杆４Ｂとで構成されるが、外側縦杆４Ａと内側縦杆４Ｂとは必ずしも別体構造であることを要せず、それぞれの機構を果し得る構造であれば一体構造で作られてもよい。５は槽内の支持体によって水処理槽１内へ定着されるドラフトチューブであり、例えば脚状の支持体のほか、図１に示されるよう上端開口部外周はフランジ部５Ｆを介して外側縦杆４Ａ・・４Ａの下端部に接続され、下端開口部は水処理槽１内の所定位置に開口される。６はドラフトチューブ５の上端開口部と導通するようその上端縁に接続された攪拌機収容筒であり、その上端開口周縁部は整流板１２の支承座に形成されている。７は竪型水中モータ８のモータ軸下端にプロペラ９を装着した攪拌機であって、図１の実施例では縦杆４・・４によって攪拌機収容筒６内へ装脱自在に嵌装された態様となっているが、フロアー２の上から水処理槽１内へ導下されたモータ軸にプロペラ９を装着してもよい。１０はプロペラ９の外周を囲繞するガイドリングであり、縦杆４・・４による攪拌機７の支承態様としては、例えばガイドリング１０の外周面要所に凹設された窩所４Ｃ・・４Ｃを内側縦杆４Ｂ・・４Ｂに係合させるなど、攪拌機７側に付設された係合機構が縦杆４・・４に係合することにより、攪拌機７が縦杆４・・４に沿って上下に昇降自在に支承されるよう構成する。１１は前記攪拌機７および後記整流板１２を昇降させるたの吊下げ用チェーンであり、手動または自動巻上げ機構（図示せず）を操作することで攪拌機７が攪拌機収容筒６内へ装脱自在に嵌装される。１２は攪拌機収容筒６の上方において縦杆４・・４に支承される昇降式の整流板であり、縦杆４・・４による整流板１２の支承態様としては、例えば整流板１２の外側へ張設されたガイドフック４Ｄ・・４Ｄを内側縦杆４Ｂ・・４Ｂに係合させるなど、整流板１２側に敷設された係合機構が縦杆４・・４に係合すことにより、攪拌機収容筒６の上方において整流板１２が縦杆４・・４に沿って昇降自在に支承されるよう構成する。
【００１１】
【発明の効果】
本発明に係る水処理槽内における竪型水中攪拌装置によれば、整流板を槽外から上下に位置調整できて比較的小さな整流板で適正な整流効果が得られ、更に槽内水位に適応した有効なスカムの吸引除去が行われ、散水除去設備等を別途装備する必要がなく、また、整流板に夾雑物が絡み付いた場合には整流板のみを迅速且つ容易に槽内から引揚げることができるという利点がある。
【図面の簡単な説明】
【図１】本発明装置の構成図である。
【図２】図１の要部拡大図である。
【図３】本発明装置における攪拌機側係合機構と縦杆との係合事例を示した要部横断平面図である。
【符号の説明】
１        水処理槽
２        フロアー
３        導下口
４        縦杆
５        ドラフトチューブ
６        攪拌機収容筒
７        攪拌機
８        竪型水中モータ
９        プロペラ
１２      昇降式の整流板
【図１】
2004321955.tif 000003
【図２】
2004321955.tif 000004
【図３】
2004321955.tif 000005